(57)【要約】【課題】メイン・ユニットの操作側に取り付けられ、組立て後に目で見る（ｗａｔｃｈｅｄ）部分であり、回路は、カラーを示すためメイン・ユニットに接続されるディスプレイ・ボードおよび回路を備えるコンピュータ・メイン・ユニットのパネルを提供することである。【解決手段】コンピュータ・メイン・ユニットのパネルであって、前記メイン・ユニットの操作側に取り付けられ、組立て後は目で見る部分になるディスプレイ・ボードと、前記メイン・ユニットに接続されカラーを示すための回路とを備えること。【選択図】　図１
0003097076.tif 000002
【実用新案登録請求の範囲】
【請求項１】
コンピュータ・メイン・ユニットのパネルであって、
前記メイン・ユニットの操作側に取り付けられ、組立て後は目で見る部分になるディスプレイ・ボードと、
前記メイン・ユニットに接続されカラーを示すための回路とを備えることを特徴とするパネル。
【請求項２】
前記ディスプレイ・ボードが冷光ディスプレイ・ボードであり、前記メイン・ユニットの操作側と透明な外側シールドの間に配置されることを特徴とする請求項１に記載のコンピュータ・メイン・ユニットのパネル。
【請求項３】
前記ディスプレイ・ボードが、２つ以上の冷光プレートを備え、異なるカラーを示すことを特徴とする請求項１に記載のコンピュータ・メイン・ユニットのパネル。
【請求項４】
２つ以上の異なるカラーを示すことができる前記冷光が、背景およびピクチャを示すことができることを特徴とする請求項３に記載のコンピュータ・メイン・ユニットのパネル。
【請求項５】
前記冷光ディスプレイ・ボードの１つが、情報を示すことができ、前記情報が、時間、温度、または関連するデータであることを特徴とする請求項３に記載のコンピュータ・メイン・ユニットのパネル。
【請求項６】
前記各冷光ディスプレイ・ボードを、視覚的にセクションに分けて示すことができることを特徴とする請求項３に記載のコンピュータ・メイン・ユニットのパネル。
【請求項７】
前記ディスプレイ・ボードが、液晶ディスプレイであることを特徴とする請求項１に記載のコンピュータ・メイン・ユニットのパネル。
【請求項８】
前記液晶ディスプレイが、押しボタンまたはソフトウェアで操作することができることを特徴とする請求項７に記載のコンピュータ・メイン・ユニットのパネル。
【請求項９】
前記液晶ディスプレイが、時間、温度、およびメイン・ユニット自体に関連する他のデータなどの情報を示すことができることを特徴とする請求項７に記載のコンピュータ・メイン・ユニットのパネル。
【請求項１０】
前記液晶ディスプレイが、透明の外側シールドで覆われることを特徴とする請求項７に記載のコンピュータ・メイン・ユニットのパネル。
【考案の詳細な説明】
【０００１】
【考案の属する技術分野】
本考案は、コンピュータ・メイン・ユニットのパネルに関し、さらに詳細には、ユーザがコンピュータ・メイン・ユニットで選択するためのシステム情報、カラー、およびピクチャを示すことのできるパネルに関する。
【０００２】
【従来の技術】
コンピュータ・メイン・ユニットは、コンピュータ・システムの中心および中核であり、それを介して外部の周辺装置と接続することができるので、コンピュータ・システムに必要不可欠である。
【０００３】
従来のコンピュータ・メイン・ユニットは、閉じた側面、熱放散する背面、および操作する前面を備える閉じた箱である。操作する前面は、パネルとして構成され、このパネルは、ディスク・ドライブまたは外部接続の装置、並びにいくつかの操作用押しボタンを収容するための開口部を備えることができる。いくつかのパネルには、縞模様などの局部的装飾または輪郭の小さな変更があるが、パネルの形は、メイン・ユニット内の機能デバイスと比べて非常に変更が少ない。
【０００４】
この現象を調査すると、その理由は、供給者および消費者がパネルを操作用インターフェースとして扱うことに慣れており、独創的モデリングを備えたコンピュータ・メイン・ユニットに、大抵、従来モデリングのパネルが取り付けられているように、パネルに関する外観の追求および外観の変更はあまり配慮されていないことにある。
【０００５】
事実、コンピュータが消費製品と考えられているならば、移動電話や腕時計などの他の個人所有物と比べて、より高価な製品が旧態を脱していないことは理解に苦しむところであり、とりわけ、移動電話および腕時計は、外観の追求に関して大変身を遂げたことがわかるであろう。したがって、以前からユーザが携行してきたメイン・ユニットのパネルが重要な変身を遂げて作製されることが真に必要である。
【０００６】
【考案が解決しようとする課題】
そこで、本考案の目的は、ディスプレイ・ボードおよび回路を備えるコンピュータ・メイン・ユニットのパネルを提供することである。このディスプレイ・ボードは、メイン・ユニットの操作側に取り付けられ、組立て後に目で見る（ｗａｔｃｈｅｄ）部分である。回路は、カラーを示すためメイン・ユニットに接続される。
【０００７】
【課題を解決するための手段】
前記目的を達成するため、本考案のコンピュータ・メイン・ユニットのパネルは、コンピュータ・メイン・ユニットのパネルであって、
前記メイン・ユニットの操作側に取り付けられ、組立て後は目で見る部分になるディスプレイ・ボードと、
前記メイン・ユニットに接続されカラーを示すための回路とを備えることからなる。
又、前記ディスプレイ・ボードが冷光ディスプレイ・ボードであり、前記メイン・ユニットの操作側と透明な外側シールドの間に配置されることが好適である。
又、前記ディスプレイ・ボードが、２つ以上の冷光プレートを備え、異なるカラーを示すことが好適である。
又、２つ以上の異なるカラーを示すことができる前記冷光が、背景およびピクチャを示すことができることが好適である。
又、前記冷光ディスプレイ・ボードの１つが、情報を示すことができ、前記情報が、時間、温度、または関連するデータであることが好適である。
又、前記各冷光ディスプレイ・ボードを、視覚的にセクションに分けて示すことができることが好適である。
又、前記ディスプレイ・ボードが、液晶ディスプレイであることが好適である。
又、前記液晶ディスプレイが、押しボタンまたはソフトウェアで操作することができることが好適である。
又、前記液晶ディスプレイが、時間、温度、およびメイン・ユニット自体に関連する他のデータなどの情報を示すことができることが好適である。
さらに、前記液晶ディスプレイが、透明の外側シールドで覆われることが好適である。
【０００８】
【考案の実施の形態】
本考案は、以下の説明および添付の図面を参照することにより、より完全に理解することができる。
【０００９】
図１乃至図３を参照すると、本考案によるコンピュータ・メイン・ユニットのパネルが、メイン・ユニットの操作側に配置されており、そのサイズおよび形状は、メイン・ユニットと係合するためにメイン・ユニットの操作側の方向に対応している。
【００１０】
やはり図１を参照すると、本考案のパネルは、内側シールド１、外側シールド２、および、少なくとも１つのディスプレイ・ボード３を備え、コンピュータ・メイン・ユニットＡの操作側に組み立てることができる。
【００１１】
内側シールド１は、コンピュータ・メイン・ユニットＡの操作側に対応するサイズおよび形状であり、図１に示すように、その上方部分に、メイン・ユニットＡに適合されたシールド開口部１１を備える。さらに、内側シールド１は、その下方側面に接続開口部１２を備える。また、操作ボタン１３を内側シールド１に取り付けることもできるが、それは、単なる例であり、従来技術に属するので、これ以上の詳細は述べない。
【００１２】
外側シールド２は、内側シールド１を覆い、これと接合することができ、この外側シールド２は、透明の材料で作成することが好ましい。さらに、外側シールド２は、内側シールドと同様に、コンピュータ・メイン・ユニットＡの操作側に対応するサイズおよび形状である。一方、ボタン穴２１を、操作ボタン１３を収容するために設けることができる。さらに、外側シールド２は、メイン・ユニットＡ上の接続ベースＢが挿入状態となることができるように、接続開口部１２に対応する接続穴２２を設けている。接続穴２２は、従来技術に属し、これ以上の詳細は述べないことを留意されたい。
【００１３】
本考案のパネルは、ディスプレイ・ボード３が設けられている点、また図１で見られるように、このディスプレイ・ボード３が内側シールド１と外側シールド２の間に配置され、シールド開口部１１に対応している点で従来技術とは異なる。パネルを組み立てた後、実際に、ディスプレイ・ボード３を全体的にまたは部分的に見ることができる。このディスプレイ・ボード３は、液晶ディスプレイまたは冷光パネルまたは他のどの表示装置でもよい。冷光パネル用には、２つ以上の異なるカラー照明層が提供され、各照明層は電気励起光のフィルム材料で作製される。現在使用されている発達した技術により、ＰｒＦ３、ＮａＦ３、ＳｍＦ３、ＥｕＦ３、ＴｂＦ３、ＤｙＦ３、ＨｏＦ３、ＥｒＦ３、ＴｍＦ３、ＹｂＦ３、ＭｎＦ２など、希土類元素から選択することにより、白、オレンジ、オレンジ・レッド、ピンク、緑、黄、青、赤など様々なカラーを得ることができる。ディスプレイ３は、電気を取り入れ、励起冷光を発生させるように、メイン・ユニットＡと電気的に接続される。したがって、ディスプレイ３は、様々な照明層材料の構成を介して様々なカラーで選択することができる。
【００１４】
液晶ディスプレイは、表示機能を実行するように、メイン・ユニットおよび制御装置に接続された回路を有する。液晶ディスプレイに関連する技術は従来のものであるので、これ以上の詳細は述べない。カラー選択の制御に関しては、押しボタンまたはソフトウェアを介して、切り替え時間を事前設定することができる。
【００１５】
さらに、ディスプレイ・ボード３は、時間、温度などの情報を示す機能を実行することができるように、文字、番号、またはピクチャ、並びに背景を表示することができる。情報表示のオペレーションを図３に示す。これは、設計に関する選択に関連し、従来技術に属するので、これ以上の詳細は述べない。しかし、これは、単なる例であって限定的なものではないことを留意されたい。
【００１６】
再度図２を参照すると、組み立てたパネルの斜視図が示されている。パネルがディスプレイ・ボード３を備えているため、ディスプレイを介してカラーを示すことができ、表示されたカラーの可変性は、ハードウェアの設計と共に様々な表示材料によって実現される。こうすると、外観の追求の向上ができ、さらに上記のように、カラーを変化させて背景およびピクチャを操作することができ、それに応じて情報の表示を行うことができる。さらに、ユーザは、コンピュータ・メイン・ユニットのパネルがさらに人間に適合する（ｈｕｍａｎｉｚｅ）ように、自動再設定し、オペレーションを選択することができる。これらは、従来のコンピュータ・メイン・ユニットのパネルでは達成できない。
【００１７】
本考案の好ましい実施形態に則して本考案について説明したが、頭記の実用新案登録請求の範囲に定義された本考案の精神から逸脱することなく、修正および変更が容易に行えることを理解されたい。
【図面の簡単な説明】
【図１】本考案によるコンピュータ・メイン・ユニットのパネルの分解斜視図である。
【図２】組み立てた図１のパネルを示す斜視図である。
【図３】本考案のパネルのオペレーションを示すブロック図である。
【符号の説明】
Ａ　コンピュータ・メイン・ユニット
Ｂ　接続ベース
１　内側シールド
２　外側シールド
３　ディスプレイ・ボード
１１　シールド開口部
１２　接続開口部
１３　操作ボタン
２１　ボタン穴
２２　接続穴
【図１】
0003097076.tif 000003
【図２】
0003097076.tif 000004
【図３】
0003097076.tif 000005